(57)【要約】【課題】ユーザ等毎に設定された印刷可能な記録紙の枚数を制限しただけでは十分に消耗品の消費量を抑制することができなかった。【解決手段】上位装置から印刷データを含む印刷情報を受信すると、印刷情報に基づいて生成される画像データに基づく印刷処理を行う画像記録装置に、制限基準となる画像データの画素密度を示す画素制限密度情報が格納された記憶部と、印刷情報から密度情報を取得する印刷情報取得部と、取得された密度情報から画像データの画素密度情報を演算する演算部と、演算された画素密度情報と記憶部の画素制限密度情報とを比較して、画素密度が画素制限密度より大きいと、印刷不可と判定する印刷可否判定部と、印刷可否判定部が印刷不可と判定すると、印刷処理を中止させる印刷制御部とを備える。【選択図】図１
2007090822.tif 000002
【特許請求の範囲】
【請求項１】
上位装置から印刷データを含む印刷情報を受信すると、前記印刷情報に基づいて生成される画像データに基づく印刷処理を行う画像記録装置において、
制限基準となる画像データの画素密度を示す画素制限密度情報が格納された記憶部と、
前記印刷情報から密度情報を取得する印刷情報取得部と、
前記取得された密度情報から画像データの画素密度情報を演算する演算部と、
前記演算された画素密度情報と前記記憶部の画素制限密度情報とを比較して、前記画素密度が前記画素制限密度より大きいと、印刷不可と判定する印刷可否判定部と、
前記印刷可否判定部が印刷不可と判定すると、前記印刷処理を中止させる印刷制御部とを備えることを特徴とする画像記録装置。
【請求項２】
前記印刷情報は、記録紙の寸法を示す記録紙寸法データ、画像の解像度を示す画像解像度データからなる印刷属性情報を含み、
前記印刷情報取得部は、前記印刷情報から印刷属性情報を取得し、
前記取得される印刷属性情報に基づいて、記録紙の最大記録可能画素数を示す用紙画素情報を取得する用紙画素取得部と、
前記生成される画像データに存在する画素数を示す画像画素情報を取得する画像画素取得部と、
前記取得された前記用紙画素情報および前記画像画素情報に基づいて、前記画像データの画素密度を示す画素密度情報を取得する画素密度取得部とを備えることを特徴とする請求項１記載の画像記録装置。
【請求項３】
前記画素制限密度情報は、高密度印刷の制限基準となる画像データの各色および各色総和の画素制限密度をそれぞれ示し、
前記印刷属性情報は、カラーおよびモノクロのいずれかを示す印刷色指定データを含み、
前記用紙画素取得部は、前記印刷属性情報の印刷色指定データがカラーを示していると、カラー印刷時の記録紙の最大記録可能画素数を示す用紙画素情報を取得し、
前記画像画素取得部は、前記印刷色指定データがカラーを示していると、前記画像データに存在する各色および各色総和の画素数を示す画像画素情報をそれぞれ取得し、
前記画素密度取得部は、前記取得された用紙画素情報および各画像画素情報に基づいて、前記画像データの各色および各色総和の画素密度を示す画素密度情報をそれぞれ取得し、
前記印刷可否判定部は、前記取得された各色および各色総和の画素密度情報と前記記憶部の各色および各色総和の画素制限密度情報とをそれぞれ比較して、前記画素密度のいずれもが前記画素制限密度より大きいと、印刷不可と判定することを特徴とする請求項２記載の画像記録装置。
【請求項４】
前記印刷可否判定部は、前記取得された各色および各色総和の画素密度情報と前記記憶部の各色および各色総和の画素制限密度情報とをそれぞれ比較して、前記画素密度のいずれか１つが前記画素制限密度より大きいと、印刷不可と判定することを特徴とする請求項３記載の画像記録装置。
【請求項５】
前記印刷制御部が印刷処理を中止させると、前記印刷処理が中止されたことを示す印刷中止信号を前記上位装置に報知する報知部を備えることを特徴とする請求項１乃至４のいずれかに記載の画像記録装置。
【請求項６】
上位装置から印刷データを含む印刷情報を受信すると、前記印刷情報に基づいて生成される画像データに基づく印刷処理を行う画像記録装置を備える画像記録システムにおいて、
制限基準となる画像データの画素密度を示す画素制限密度情報が格納された記憶部を含み、
前記画像記録装置は、
前記印刷情報から密度情報を取得する印刷情報取得部と、
前記取得された密度情報から画像データの画素密度情報を演算する演算部と、
前記演算された画素密度情報と前記記憶部の画素制限密度情報とを比較して、前記画素密度が前記画素制限密度より大きいと、印刷不可と判定する印刷可否判定部と、
前記印刷可否判定部が印刷不可と判定すると、前記印刷処理を中止させる印刷制御部とを備えることを特徴とする画像記録システム。
【請求項７】
前記印刷情報は、記録紙の寸法を示す記録紙寸法データ、画像の解像度を示す画像解像度データからなる印刷属性情報を含み、
前記印刷情報取得部は、前記印刷情報から印刷属性情報を取得し、
前記画像記録装置は、
前記取得される印刷属性情報に基づいて、記録紙の最大記録可能画素数を示す用紙画素情報を取得する用紙画素取得部と、
前記生成される画像データに存在する画素数を示す画像画素情報を取得する画像画素取得部と、
前記取得された前記用紙画素情報および前記画像画素情報に基づいて、前記画像データの画素密度を示す画素密度情報を取得する画素密度取得部とを備えることを特徴とする請求項６記載の画像記録システム。
【請求項８】
前記画素制限密度情報は、高密度印刷の制限基準となる画像データの各色および各色総和のそれぞれの画素制限密度を示し、
前記印刷属性情報は、カラーおよびモノクロのいずれかを示す印刷色指定データを含み、
前記用紙画素取得部は、前記印刷色指定データがカラーを示していると、カラー印刷時の記録紙の最大記録可能画素数を示す用紙画素情報を取得し、
前記画像画素取得部は、前記印刷色指定データがカラーを示していると、前記画像データに存在する各色および各色総和の画素数を示す画像画素情報をそれぞれ取得し、
前記画素密度取得部は、前記取得された用紙画素情報と各画像画素情報とに基づいて、前記画像データの各色および各色総和の画素密度を示す画素密度情報をそれぞれ取得し、
前記印刷可否判定部は、前記画素密度取得部が画素密度情報を取得すると、前記記憶部から各画素制限密度情報を取得すると共に、前記取得された各色および各色総和の画素制限密度情報と各画素密度情報とをそれぞれ比較して、前記画素密度のいずれもが前記画素制限密度より大きいと、印刷不可と判定することを特徴とする請求項７記載の画像記録システム。
【請求項９】
前記印刷可否判定部は、前記画素密度取得部が画素密度情報を取得すると、前記記憶部から各画素制限密度情報を取得すると共に、前記取得された各色および各色総和の画素制限密度情報と各画素密度情報とをそれぞれ比較して、前記画素密度のいずれか１つでも前記画素制限密度より大きいと、印刷不可と判定することを特徴とする請求項８記載の画像記録システム。
【請求項１０】
前記画像記録装置は、
前記印刷制御部が印刷処理を中止させると、前記印刷処理が中止されたことを示す印刷中止信号を前記上位装置に報知する報知部を備えることを特徴とする請求項６乃至９のいずれかに記載の画像記録システム。
【請求項１１】
上位装置から印刷要求元のアプリケーション名を示すアプリケーションデータ、印刷データを含む印刷情報を受信すると、前記印刷情報に基づいて生成される画像データに基づく印刷処理を行う画像記録装置において、
制限対象外のアプリケーション名を示す対象外アプリケーションデータが格納された記憶部と、
前記印刷情報からアプリケーションデータを取得する印刷情報取得部と、
前記取得されたアプリケーションデータに基づいて、前記記憶部を検索し、前記アプリケーションデータに一致する対象外アプリケーションデータが格納されていないと、印刷不可と判定する印刷可否判定部と、
前記印刷可否判定部が印刷不可と判定すると、前記印刷処理を中止させる印刷制御部とを備えることを特徴とする画像記録装置。
【請求項１２】
前記印刷制御部が印刷処理を中止させると、前記印刷処理が中止されたことを示す印刷中止信号を前記上位装置に報知する報知部を備えることを特徴とする請求項１１記載の画像記録装置。
【請求項１３】
上位装置から印刷要求元のアプリケーション名を示すアプリケーションデータ、印刷データを含む印刷情報を受信すると、前記印刷情報に基づいて生成される画像データに基づく印刷処理を行う画像記録装置を備える画像記録システムにおいて、
制限対象外のアプリケーション名を示す対象外アプリケーションデータが格納された記憶部を含み、
前記画像記録装置は、
前記印刷情報からアプリケーションデータを取得する印刷情報取得部と、
前記取得されたアプリケーションデータに基づいて、前記記憶部を検索し、前記アプリケーションデータに一致する対象外アプリケーションデータが格納されていないと、印刷不可と判定する印刷可否判定部と、
前記印刷可否判定部が印刷不可と判定すると、前記印刷処理を中止させる印刷制御部とを備えることを特徴とする画像記録システム。
【請求項１４】
前記画像記録装置は、
前記印刷制御部が印刷処理を中止させると、前記印刷処理が中止されたことを示す印刷中止信号を前記上位装置に報知する報知部を備えることを特徴とする請求項１３記載の画像記録システム。
【発明の詳細な説明】
【技術分野】
【０００１】
本発明は、消耗品が早期に消費されるのを抑制する画像記録装置および画像記録システムに関する。
【背景技術】
【０００２】
消耗品が早期に消費されるのを抑制する画像記録装置が知られている。例えば、下記特許文献１では、ユーザ或いはグループ毎に印刷可能な記録紙の枚数を設定し、該枚数を超えた印刷指示がなされると、印刷処理を制限し、記録紙等の消耗品が早期に消費されるのを抑制する画像記録装置が開示されている。
【特許文献１】特開平１０−２０７６６１号公報
【発明の開示】
【発明が解決しようとする課題】
【０００３】
しかしながら、上記した画像記録装置には、次のような解決すべき課題があった。即ち、ユーザ或いはグループ毎に設定された印刷可能な記録紙の枚数を制限しただけでは十分に消耗品の消費量を抑制することができなかった。
【課題を解決するための手段】
【０００４】
本発明は、以上の点を解決するために、次の構成を採用する。
〈構成１〉
上位装置から印刷データを含む印刷情報を受信すると、前記印刷情報に基づいて生成される画像データに基づく印刷処理を行う画像記録装置において、制限基準となる画像データの画素密度を示す画素制限密度情報が格納された記憶部と、前記印刷情報から密度情報を取得する印刷情報取得部と、前記取得された密度情報から画像データの画素密度情報を演算する演算部と、前記演算された画素密度情報と前記記憶部の画素制限密度情報とを比較して、前記画素密度が前記画素制限密度より大きいと、印刷不可と判定する印刷可否判定部と、前記印刷可否判定部が印刷不可と判定すると、前記印刷処理を中止させる印刷制御部とを備えることを特徴とする。
〈構成２〉
上位装置から印刷データを含む印刷情報を受信すると、前記印刷情報に基づいて生成される画像データに基づく印刷処理を行う画像記録装置を備える画像記録システムにおいて、制限基準となる画像データの画素密度を示す画素制限密度情報が格納された記憶部を含み、前記画像記録装置は、前記印刷情報から密度情報を取得する印刷情報取得部と、前記取得された密度情報から画像データの画素密度情報を演算する演算部と、前記演算された画素密度情報と前記記憶部の画素制限密度情報とを比較して、前記画素密度が前記画素制限密度より大きいと、印刷不可と判定する印刷可否判定部と、前記印刷可否判定部が印刷不可と判定すると、前記印刷処理を中止させる印刷制御部とを備えることを特徴とする。
〈構成３〉
上位装置から印刷要求元のアプリケーション名を示すアプリケーションデータ、印刷データを含む印刷情報を受信すると、前記印刷情報に基づいて生成される画像データに基づく印刷処理を行う画像記録装置において、制限対象外のアプリケーション名を示す対象外アプリケーションデータが格納された記憶部と、前記印刷情報からアプリケーションデータを取得する印刷情報取得部と、前記取得されたアプリケーションデータに基づいて、前記記憶部を検索し、前記アプリケーションデータに一致する対象外アプリケーションデータが格納されていないと、印刷不可と判定する印刷可否判定部と、前記印刷可否判定部が印刷不可と判定すると、前記印刷処理を中止させる印刷制御部とを備えることを特徴とする。
〈構成４〉
上位装置から印刷要求元のアプリケーション名を示すアプリケーションデータ、印刷データを含む印刷情報を受信すると、前記印刷情報に基づいて生成される画像データに基づく印刷処理を行う画像記録装置を備える画像記録システムにおいて、制限対象外のアプリケーション名を示す対象外アプリケーションデータが格納された記憶部を含み、前記画像記録装置は、前記印刷情報からアプリケーションデータを取得する印刷情報取得部と、前記取得されたアプリケーションデータに基づいて、前記記憶部を検索し、前記アプリケーションデータに一致する対象外アプリケーションデータが格納されていないと、印刷不可と判定する印刷可否判定部と、前記印刷可否判定部が印刷不可と判定すると、前記印刷処理を中止させる印刷制御部とを備えることを特徴とする。
【発明の効果】
【０００５】
本発明の画像記録装置では、制限基準となる画像データの画素密度を示す画素制限密度情報が格納された記憶部を設け、上位装置から印刷データを含む印刷情報を受信すると、前記印刷情報から密度情報を取得し、前記取得された密度情報から画像データの画素密度情報を演算し、前記演算された画素密度情報と前記記憶部の画素制限密度情報とを比較して、前記画素密度が前記画素制限密度より大きいと、印刷不可と判定し、印刷可能な記録紙の枚数範囲内であっても、印刷処理を中止するようにしたので、消耗品の消費量を抑制することができる。従って、消耗品が早期に消費されるのを防止できる。
【発明を実施するための最良の形態】
【０００６】
以下、本発明の一実施形態を図を用いて詳細に説明する。
【実施例１】
【０００７】
〈実施例１の構成〉
図１は、本発明の画像記録装置を示すブロック構成図である。
【０００８】
図１に示すように、本発明の画像記録装置１００は、制御部１０、記憶部１１、印刷情報取得部１２、用紙画素取得部１３、画像画素取得部１４、画素密度取得部１５、印刷可否判定部１６、印刷制御部１７および報知部１８を有しており、上位装置２００とネットワークを介して接続されている。
【０００９】
記憶部１１は、画素制限密度情報および判定制御情報が格納されているメモリである。この画素制限密度情報とは、図２に示すように、高密度印刷の制限基準となるシアン、マゼンタ、イエロー、ブラックの各色毎および各色の総和の画素密度を示す情報である。また、判定制御情報は、図３に示すように、シアン、マゼンタ、イエロー、ブラックの各色毎および総和の画素密度のいずれを印刷制限の判定対象に含めるかを判定するための情報であり、「１」が設定されている場合、印刷制限の判定対象に含められ、「０」が設定されている場合、印刷制限の判定対象に含められないことを示している。本実施例では、各色毎および総和に対して「１」が設定されていることから、全色および総和の画素密度が印刷制限の判定対象に含められる。この画像制限密度情報、判定制御情報は、予め上位装置２００からコマンドで設定するようにしてもよい。また、画像記録装置１００の図示しない操作パネル上から設定するようにしてもよい。
【００１０】
上位装置２００としては、ワークステーションやＰＣ等が用いられ、利用者から図示しない入力部を介して、印刷指示されると、図示しないメモリのプリンタドライバを実行し、利用者によって印刷指示された記録紙の縦寸法を示す縦寸法データ、記録紙の横寸法を示す横寸法データ、画像解像度を示す画像解像度データからなる印刷属性情報を生成させると共に、生成された印刷属性情報及び印刷データを含む印刷情報を画像記録装置１００に送信する。本実施例では、記録紙縦寸法「１１インチ」、記録紙横寸法「２インチ」、画像解像度「３００ドット／インチ」からなる印刷属性情報が生成されることとする。尚、記録紙の大きさを示すデータとしては、縦／横寸法に限らず、例えば、「Ａ４」、「Ａ５」、「Ｂ４」等のような記録紙サイズを示すデータ及び解像度を示す画像解像度データからなる印刷属性情報として生成してもよい。この場合、画像記録装置１００側で、記録紙サイズに対応する縦／横寸法を保持するようにすればよい。
【００１１】
画像記録装置１００の制御部１０は、いわゆるＣＰＵとして画像記録装置１００を統括的に制御する制御部であり、上位装置２００から印刷情報を受信すると、印刷情報を印刷情報取得部１２に転送する。
【００１２】
印刷情報取得部１２は、印刷情報から印刷属性情報を取得する取得部であり、印刷情報を受けると、該印刷情報を解析し、印刷データと印刷属性情報を分離して、印刷属性情報を取得する。本実施例では、記録紙縦寸法「１１インチ」、記録紙横寸法「２インチ」、画像解像度「３００ドット／インチ」、カラーおよびモノクロのいずれかを示す印刷色指定データからなる印刷属性情報が取得されることとする。
【００１３】
制御部１０は、印刷情報取得部１２が印刷属性情報を取得すると、印刷属性情報に基づいて、印刷データから画像データを生成し、図示しないメモリに保持すると共に、該印刷属性情報を用紙画素取得部１３に転送する。
【００１４】
用紙画素取得部１３は、記録紙に記録可能な最大画素数を示す用紙画素情報を取得する取得部であり、図示しないメモリに下記用紙画素算出式を保持している。
【００１５】
用紙画素算出式＝（ＰＴ×ＰＹ）×Ｇ・・・（１）
【００１６】
但し、ＰＴ：記録紙縦寸法
ＰＹ：記録紙横寸法
Ｇ：画像解像度
【００１７】
用紙画素取得部１３は、印刷情報取得部１２が印刷属性情報を取得すると、印刷属性情報に含まれる記録紙縦寸法データ、記録紙横寸法データ、画像解像度データ、印刷色指定データを上記式（１）に適用し、用紙画素情報を取得する。この際、制御部１０は、取得された用紙画素情報を図示しないメモリに保持する。
【００１８】
本実施例では、記録紙縦寸法「１１インチ」、記録紙横寸法「２インチ」、画像解像度「３００ドット／インチ」、カラーおよびモノクロのいずれかを示す印刷色指定データからなる印刷属性情報が取得されることから、上記式（１）に記録紙縦寸法「１１インチ」、記録紙横寸法「２インチ」、画像解像度「３００ドット／インチ」が適用され、モノクロ画像の場合、１つのフレームを使用することから、用紙画素情報ＹＤとして「６６００ドット」が取得され、カラー画像の場合、４つのフレームを使用することから用紙画素情報ＹＤとして「２６４００ドット」が算出される。
【００１９】
画像画素取得部１４は、印刷対象の画像データにおいて、実際の印刷に利用される画素数を示す画素数情報を取得する取得部であり、用紙画素取得部１３が用紙画素情報ＹＤを取得すると、図示しないメモリに保持されている画像データを解析し、画像データにおいて、実際の印刷に利用される各色（＝シアン、マゼンタ、イエロー、ブラック）毎および各色の総和の画素数を示す画像画素数情報をそれぞれ取得する。
【００２０】
本実施例では、画像画素数情報として「ＧＤｃ（＝シアン）」、「ＧＤｍ（＝マゼンタ）」、「ＧＤｙ（＝イエロー）」、「ＧＤｋ（＝ブラック）」、「ＧＤ（＝各色の総和）」がそれぞれ取得されることとする。
【００２１】
画素密度取得部１５は、印刷対象の画像データの画素密度を示す画素密度情報を取得する取得部であり、図示しないメモリに下記画素密度算出式を保持している。
【００２２】
画素密度算出式１＝ＧＤ／ＹＤ・・・（２）
【００２３】
画素密度算出式２＝ＧＤｎ／ＹＤ・・・（３）
【００２４】
但し、ＧＤｎ：画像画素数（＝ＧＤｃ：シアンの画像画素数、ＧＤｍ：マゼンタの画像画素数、ＧＤｙ：イエローの画像画素数、ＧＤｋ：ブラックの画像画素数のいずれか）ＧＤ：各色の総和の画像画素数、ＹＤ：用紙画素数（＝１フレームの用紙画素数）
【００２５】
画素密度取得部１５は、画像画素取得部１４が画像画素数情報をそれぞれ取得すると、まず、４つのフレームの総和である用紙画素情報ＹＤと各色の総和の画像画素数情報ＧＤとを上記式（２）に適用し、各色の総和の画像画素数情報に対する画素密度情報を取得する。
【００２６】
次に、画素密度取得部１５は、用紙画素情報ＹＤと各色毎の画像画素数情報ＧＤｎとを上記式（３）に適用し、各色の画像画素数情報に対する画素密度情報をそれぞれ取得する。
【００２７】
本実施例では、画像画素数情報として、「６６０ドット（＝シアン）」、「６６０ドット（＝マゼンタ）」、「６６０ドット（＝ブラック）」、「１９８０ドット（＝イエロー）」、「３９６０ドット（＝総和）」がそれぞれ取得されていることから、各画像画素数情報に対する画素密度情報として、「１０％（＝シアン）」、「１０％（＝マゼンタ）」、「１０％（＝ブラック）」、「３０％（＝イエロー）」、「６０％（＝各色の総和）」がそれぞれ取得される。
【００２８】
印刷可否判定部１６は、印刷制限の要否を判定する判定部であり、画素密度取得部１５が画素密度情報をそれぞれ取得すると、記憶部１１の判定制御情報を参照し、判断制御方式を決定する。本実施例では、各色（＝シアン、マゼンタ、イエロー、ブラック）および各色の総和に対して「１」がそれぞれ設定されていることから、全ての画素密度を判定対象として印刷可否を行う。
【００２９】
即ち、印刷可否判定部１６は、記憶部１１を参照して、取得された各色の総和の画素密度情報と各色の総和に対する画素制限密度情報とを比較し、画素密度が画素制限密度より大きいと、印刷不可と判定する。
【００３０】
印刷制御部１７は、印刷可否の判定に応じて印刷制御を行う制御部であり、印刷可否判定部１６が印刷不可と判定すると、図示しない印刷部に印刷処理の中止を指示する。
【００３１】
報知部１８は、上位装置２００に対して印刷状況を報知する報知部であり、印刷制御部１７が図示しない印刷部に対して印刷処理の中止を指示すると、印刷無効を示す印刷不許可信号を上位装置２００に送信する。
【００３２】
上位装置２００では、印刷不許可信号を受信すると、図示しないメモリの制御プログラムを実行し、印刷無効を示す印刷無効画面を図示しない表示部に表示させる。これにより、利用者は、印刷要求された画像データが高密度であるために印刷処理が中止されたことを確認できる。
【００３３】
各色の総和の画素密度が画素制限密度より小さいと、引き続き、印刷可否判定部１６は、記憶部１１を参照して、シアンの画素密度情報とシアンに対する画素制限密度情報とを比較し、画素密度が画素制限密度より大きいと、印刷不可と判定する。
【００３４】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００３５】
シアンの画素密度が画素制限密度より小さいと、引き続き、印刷可否判定部１６は、記憶部１１を参照して、マゼンタの画素密度情報とマゼンタに対する画素制限密度情報とを比較し、画素密度が画素制限密度より大きいと、印刷不可と判定する。
【００３６】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００３７】
マゼンタの画素密度が画素制限密度より小さいと、引き続き、印刷可否判定部１６は、記憶部１１を参照して、イエローの画素密度情報とイエローに対する画素制限密度情報とを比較し、画素密度が画素制限密度より大きいと、印刷不可と判定する。
【００３８】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００３９】
イエローの画素密度が画素制限密度より小さいと、引き続き、印刷可否判定部１６は、記憶部１１を参照して、ブラックの画素密度情報とブラックに対する画素制限密度情報とを比較し、画素密度が画素制限密度より大きいと、印刷不可と判定する。
【００４０】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００４１】
ブラックの画素密度が画素制限密度より小さいと、印刷可否判定部１６は、印刷可と判定し、印刷制御部１７は、印刷可否判定部１６が印刷可と判定すると、図示しない印刷部に画像データを転送すると共に、印刷処理を指示する。図示しない印刷部は、画像データを受けると、画像データに基づいた印刷処理を実行する。
【００４２】
報知部１８は、印刷制御部１７が図示しない印刷部に対して印刷処理を指示すると、印刷有効を示す印刷許可信号を上位装置２００に送信する。
【００４３】
上位装置２００では、印刷許可信号を受信すると、図示しないメモリの制御プログラムを実行し、印刷有効を示す印刷有効画面を上位装置２００の図示しない表示部に表示される。これにより、利用者は、印刷要求に応じて印刷処理されたことを図示しない表示部を介して確認できる。
【００４４】
本実施例では、画素密度情報「３０％（＝イエロー）」が画素制限密度情報「１５％（＝イエロー）」よりも大きいことから、印刷可否判定部１６により印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。これにより、利用者は、印刷要求された画像データが高密度であるために印刷処理が中止されたことを確認できる。
【００４５】
尚、上記説明では、各色および各色の総和のいずれか１つの画素密度が画素制限密度より大きいと、印刷不可と判定するように説明したが、全ての画素密度が画素制限密度より大きい場合のみに印刷不可と判定するようにしてもよい。
【００４６】
〈実施例１の動作〉
以下、本実施例の画像記録装置による印刷制限動作の説明を行う。
【００４７】
図４は、実施例１の画像記録装置の動作フローチャートである。
【００４８】
上位装置２００は、利用者から図示しない入力部を介して、印刷指示されると、図示しないメモリのプリンタドライバを実行し、利用者によって印刷指示された記録紙の縦寸法を示す縦寸法データ、記録紙の横寸法を示す横寸法データ、画像解像度を示す画像解像度データからなる印刷属性情報を生成させると共に、生成された印刷属性情報及び印刷データを含む印刷情報を画像記録装置１００に送信する。
【００４９】
本実施例では、記録紙縦寸法「１１インチ」、記録紙横寸法「２インチ」、画像解像度「３００ドット／インチ」からなる印刷属性情報が生成されることとする。尚、記録紙の大きさを示すデータとして、縦／横寸法に限らず、例えば、「Ａ４」、「Ａ５」、「Ｂ４」等のような記録紙サイズを示すデータ及び解像度を示す画像解像度データからなる印刷属性情報として生成してもよい。この場合、画像記録装置１００側で、記録紙サイズに対応する縦／横寸法を保持するようにすればよい。
【００５０】
画像記録装置１００の制御部１０は、上位装置２００から印刷情報を受信すると（Ｓ１）、印刷情報を印刷情報取得部１２に転送する。
【００５１】
印刷情報取得部１２は、印刷情報を受けると、該印刷情報を解析し、印刷データと印刷属性情報とに分離して、印刷属性情報を取得する。本実施例では、記録紙縦寸法「１１インチ」、記録紙横寸法「２インチ」、画像解像度「３００ドット／インチ」、カラーおよびモノクロのいずれかを示す印刷色指定データからなる印刷属性情報が取得されることとする（Ｓ２）。
【００５２】
制御部１０は、印刷情報取得部１２が印刷属性情報を取得すると、印刷属性情報に基づいて、印刷データから画像データを生成し、図示しないメモリに保持すると共に、該印刷属性情報を用紙画素取得部１３に転送する。
【００５３】
用紙画素取得部１３は、印刷情報取得部１２が印刷属性情報を取得すると、印刷属性情報に含まれる記録紙縦寸法データ、記録紙横寸法データ、画像解像度データ、印刷色指定データを上記式（１）に適用し、用紙画素情報ＹＤを取得する（Ｓ３）。この際、制御部１０は、取得された用紙画素情報を図示しないメモリに保持する。
【００５４】
本実施例では、記録紙縦寸法「１１インチ」、記録紙横寸法「２インチ」、画像解像度「３００ドット／インチ」、カラーおよびモノクロのいずれかを示す印刷色指定データからなる印刷属性情報が取得されることから、上記式（１）に、記録紙縦寸法「１１インチ」、記録紙横寸法「２インチ」、画像解像度「３００ドット／インチ」が適用され、モノクロ画像の場合、１つのフレームを使用することから、用紙画素情報ＹＤとして「６６００ドット」が取得され、カラー画像の場合、４つのフレームを使用することから、用紙画素情報ＹＤとして「２６４００ドット」が算出される。
【００５５】
画像画素取得部１４は、用紙画素取得部１３が用紙画素情報を取得すると、図示しないメモリに保持されている画像データを解析し、画像データにおいて、実際の印刷に利用される各色（＝シアン、マゼンタ、イエロー、ブラック）毎および各色の総和の画素数を示す画像画素数情報をそれぞれ取得する（Ｓ４）。
【００５６】
本実施例では、画像画素数情報として、ＧＤｃ（＝シアン）、ＧＤｍ（＝マゼンタ）、ＧＤｙ（＝イエロー）、ＧＤｋ（＝ブラック）、ＧＤ（＝総和）がそれぞれ取得されることとする。
【００５７】
画素密度取得部１５は、画像画素取得部１４が画像画素数情報をそれぞれ取得すると、まず、４つのフレームの総和である用紙画素情報ＹＤと各色の総和の画像画素数情報ＧＤとを上記式（２）に適用し、各色の総和の画像画素数情報ＧＤに対する画素密度情報を取得する。
【００５８】
次に、画素密度取得部１５は、用紙画素情報ＹＤと各色毎の画像画素数情報ＧＤとを上記式（３）に適用し、各色（＝シアン、マゼンタ、イエロー、ブラック）の画像画素数情報に対する画素密度情報をそれぞれ取得する（Ｓ５）。
【００５９】
本実施例では、画像画素数情報として、「６６０ドット（＝シアン）」、「６６０ドット（＝マゼンタ）」、「６６０ドット（＝ブラック）」、「１９８０ドット（＝イエロー）」、「３９６０ドット（＝総和）」がそれぞれ取得されていることから、各画像画素数情報に対する画素密度情報として、１０％（＝シアン）、１０％（＝マゼンタ）、１０％（＝ブラック）、３０％（＝イエロー）、６０％（＝総和）がそれぞれ取得される。
【００６０】
印刷可否判定部１６は、画素密度取得部１５が画素密度情報をそれぞれ取得すると、記憶部１１の判定制御情報を参照し、判断制御方式を決定する。本実施例では、各色（＝シアン、マゼンタ、イエロー、ブラック）および各色の総和に対して「１」がそれぞれ設定されていることから、全ての画素密度を判定対象として印刷可否を行う。
【００６１】
即ち、印刷可否判定部１６は、記憶部１１を参照して、取得された各色の総和の画素密度情報と各色の総和に対する画素制限密度情報とを比較し（Ｓ６）、画素密度が画素制限密度より大きいと、印刷不可と判定する（Ｓ７）。
【００６２】
印刷制御部１７は、印刷可否判定部１６が印刷不可と判定すると、図示しない印刷部に印刷処理の中止を指示する（Ｓ１８）。
【００６３】
報知部１８は、印刷制御部１７が図示しない印刷部に対して印刷処理の中止を指示すると、印刷無効を示す印刷不許可信号を上位装置２００に送信する。
【００６４】
上位装置２００では、印刷不許可信号を受信すると、図示しないメモリの制御プログラムを実行し、印刷無効を示す印刷無効画面を図示しない表示部に表示させる（Ｓ１９）。これにより、利用者は、印刷要求された画像データが高密度であるために印刷処理が中止されたことを確認できる。
【００６５】
各色の総和の画素密度が画素制限密度より小さいと、引き続き、印刷可否判定部１６は、記憶部１１を参照して、シアンの画素密度情報とシアンに対する画素制限密度情報とを比較し（Ｓ８）、画素密度が画素制限密度より大きいと、印刷不可と判定する（Ｓ９）。
【００６６】
印刷制御部１７は、上記同様に、印刷可否判定部１６が印刷不可と判定すると、図示しない印刷部に印刷処理の中止を指示し（Ｓ１８）、報知部１８により印刷不許可信号が上位装置２００に送信され、印刷無効画面が上位装置２００の図示しない表示部に表示される（Ｓ１９）。
【００６７】
シアンの画素密度が画素制限密度より小さいと、引き続き、印刷可否判定部１６は、記憶部１１を参照して、マゼンタの画素密度情報とマゼンタに対する画素制限密度情報とを比較し（Ｓ１０）、画素密度が画素制限密度より大きいと、印刷不可と判定する（Ｓ１１）。
【００６８】
印刷制御部１７は、上記同様に、印刷可否判定部１６が印刷不可と判定すると、図示しない印刷部に印刷処理の中止を指示し（Ｓ１８）、報知部１８により印刷不許可信号が上位装置２００に送信され、印刷無効画面が上位装置２００の図示しない表示部に表示される（Ｓ１９）。
【００６９】
マゼンタの画素密度が画素制限密度より小さいと、引き続き、印刷可否判定部１６は、記憶部１１を参照して、イエローの画素密度情報とイエローに対する画素制限密度情報とを比較し（Ｓ１２）、画素密度が画素制限密度より大きいと、印刷不可と判定する（Ｓ１３）。
【００７０】
印刷制御部１７は、上記同様に、印刷可否判定部１６が印刷不可と判定すると、図示しない印刷部に印刷処理の中止を指示し（Ｓ１８）、報知部１８により印刷不許可信号が上位装置２００に送信され、印刷無効画面が上位装置２００の図示しない表示部に表示される（Ｓ１９）。
【００７１】
イエローの画素密度が画素制限密度より小さいと、引き続き、印刷可否判定部１６は、記憶部１１を参照して、ブラックの画素密度情報とブラックに対する画素制限密度情報とを比較し（Ｓ１４）、画素密度が画素制限密度より大きいと、印刷不可と判定する（Ｓ１５）。
【００７２】
印刷制御部１７は、上記同様に、印刷可否判定部１６が印刷不可と判定すると、図示しない印刷部に印刷処理の中止を指示し（Ｓ１８）、報知部１８により印刷不許可信号が上位装置２００に送信され、印刷無効画面が上位装置２００の図示しない表示部に表示される（Ｓ１９）。
【００７３】
画素密度が画素制限密度より小さいと、印刷可否判定部１６は、印刷可と判定し（Ｓ１５）、印刷制御部１７は、印刷可否判定部１６が印刷可と判定すると、図示しない印刷部に画像データを転送すると共に、印刷処理を指示する。図示しない印刷部は、画像データを受けると、画像データに基づいた印刷処理を実行する（Ｓ１６）。
【００７４】
報知部１８は、印刷制御部１７が図示しない印刷部に対して印刷処理を指示すると、印刷有効を示す印刷許可信号を上位装置２００に送信する。
【００７５】
上位装置２００では、印刷許可信号を受信すると、図示しないメモリの制御プログラムを実行し、印刷有効を示す印刷有効画面を上位装置２００の図示しない表示部に表示される（Ｓ１７）。これにより、利用者は、印刷要求に応じて印刷処理されたことを図示しない表示部を介して確認できる。
【００７６】
本実施例では、画素密度情報「３０％」（＝イエロー）が画素制限密度情報「１５％」（＝イエロー）よりも大きいことから、印刷可否判定部１６により印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。これにより、利用者は、印刷要求された画像データが高密度であるために印刷処理が中止されたことを確認できる。
【００７７】
尚、上記説明では、各色および各色の総和のいずれか１つの画素密度が画素制限密度より大きいと、印刷不可と判定するように説明したが、全ての画素密度が画素制限密度より大きい場合のみに印刷不可と判定するようにしてもよい。
【００７８】
また、上記した実施例では、本発明を現像剤（＝トナー）を使用する電子写真プロセスの画像記録装置に適用して説明を行ったが、これに限られることはなく、インクを使用するインクジェット方式の画像記録装置、インクリボンを使用するワイヤドット方式の画像記録装置にも適用することができる。
【００７９】
〈実施例１の効果〉
本実施例の画像記録装置１００では、高密度印刷の制限基準となる各色および各色の総和の画素密度を示す画素制限密度情報がそれぞれ格納された記憶部１１を設け、上位装置２００から記録紙の寸法を示す記録紙寸法データ、画像の解像度を示す画像解像度データ、カラーおよびモノクロのいずれかを示す印刷色指定データからなる印刷属性情報及び印刷データを含む印刷情報を受信すると、印刷情報から印刷属性情報を取得し、取得される印刷属性情報に基づいて、記録紙の最大記録可能画素数を示す用紙画素情報を取得し、印刷対象の画像データに存在する各色および総和の画素数を示す画像画素情報をそれぞれ取得し、取得された用紙画素情報と各色および総和の画像画素情報とに基づいて、各色および総和の画像データの画素密度を示す画素密度情報を取得し、取得された各画素密度情報と記憶部１１の各画素制限密度情報をそれぞれ比較して、いずれかの画素密度が画素制限密度より大きいと、印刷不可と判定し、印刷可能な記録紙の枚数範囲内であっても、印刷処理を中止するようにしたので、消耗品の消費量を抑制することができる。従って、消耗品が早期に消費されるのを防止できる。
【実施例２】
【００８０】
〈実施例２の構成〉
図５は、実施例２の画像記録システムを示すブロック構成図である。
【００８１】
図５に示すように、実施例２の画像記録システムは、複数の画像記録装置１００、上位装置２００、管理装置３００およびデータベース３００Ａから構成されており、画像記録装置１００は、上位装置２００および管理装置３００がネットワークを介して接続されている。また、管理装置３００には、データベース３００Ａが接続されている。
【００８２】
実施例１では、各色および総和の画素制限密度情報と判定制御情報とが記憶部１１に格納されている構成であったが、本実施例においては、各画素制限密度情報および判定制御情報がデータベース３００Ａに保持され、管理装置３００がデータベース３００Ａの各情報を一元管理している構成である。
【００８３】
データベース３００Ａは、各色および総和の画素制限密度情報と判定制御情報とが格納されているデータベースである。画素制限密度情報（図２参照）および判定制御情報（図３参照）は、それぞれ実施例１と同様の情報である。
【００８４】
本実施例の画像記録装置１００の印刷可否判定部１６は、実施例１と同様に、画素密度取得部１５が各色毎および各色の総和の画素密度情報をそれぞれ取得すると、各色毎および各色の総和の画素制限密度情報と判定制御情報をデータベース３００Ａから取得するためのデータ要求信号を管理装置３００に送信する。
【００８５】
管理装置３００の制御部３０は、いわゆるＣＰＵとして管理装置３００の統括制御を行う制御部であり、データ要求信号を受信すると、データ要求信号をデータ取得部３１に転送する。
【００８６】
データ取得部３１は、データベース３００Ａからデータ取得を行う取得部であり、データ要求信号を受けると、データベース３００Ａを参照し、各色毎および各色の総和の画素制限密度情報、判定制御情報をそれぞれ取得する。
【００８７】
制御部３０は、データ取得部３１が各データを取得すると、取得された各色毎および各色の総和の画素制限密度情報、判定制御情報を画像記録装置１００に送信する。
【００８８】
画像記録装置１００の制御部１０は、各色毎および各色の総和の画素制限密度情報、判定制御情報を受信すると、各情報を図示しないメモリに格納する。
【００８９】
印刷可否判定部１６は、各色毎および各色の総和の画素制限密度情報、判定制御情報がメモリに格納されると、まず、メモリの判定制御情報を参照し、判断制御方式を決定する。本実施例では、各色（＝シアン、マゼンタ、イエロー、ブラック）および各色の総和に対して「１」がそれぞれ設定されていることから、全ての画素密度を判定対象として印刷可否を行う。
【００９０】
即ち、印刷可否判定部１６は、メモリを参照して、取得された各色の総和の画素密度情報と各色の総和に対する画素制限密度情報とを比較し、画素密度が画素制限密度より大きいと、印刷不可と判定する。
【００９１】
印刷制御部１７は、実施例１と同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００９２】
シアンの画素密度が画素制限密度より小さいと、引き続き、印刷可否判定部１６は、メモリを参照して、マゼンタの画素密度情報とマゼンタに対する画素制限密度情報とを比較し、画素密度が画素制限密度より大きいと、印刷不可と判定する。
【００９３】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００９４】
マゼンタの画素密度が画素制限密度より小さいと、引き続き、印刷可否判定部１６は、メモリを参照して、イエローの画素密度情報とイエローに対する画素制限密度情報とを比較し、画素密度が画素制限密度より大きいと、印刷不可と判定する。
【００９５】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００９６】
イエローの画素密度が画素制限密度より小さいと、引き続き、印刷可否判定部１６は、メモリを参照して、ブラックの画素密度情報とブラックに対する画素制限密度情報とを比較し、画素密度が画素制限密度より大きいと、印刷不可と判定する。
【００９７】
印刷制御部１７は、上記同様に、印刷可否判定部１６が印刷不可と判定すると、図示しない印刷部に印刷処理の中止を指示し、報知部１８により印刷不許可信号が上位装置２００に送信され、印刷無効画面が上位装置２００の図示しない表示部に表示される。
【００９８】
画素密度が画素制限密度より小さいと、印刷可否判定部１６は、印刷可と判定し、印刷制御部１７は、印刷可否判定部１６が印刷可と判定すると、図示しない印刷部に画像データを転送すると共に、印刷処理を指示する。図示しない印刷部は、画像データを受けると、画像データに基づいた印刷処理を実行する。
【００９９】
報知部１８は、印刷制御部１７が図示しない印刷部に対して印刷処理を指示すると、印刷有効を示す印刷許可信号を上位装置２００に送信する。
【０１００】
上位装置２００では、印刷許可信号を受信すると、図示しないメモリの制御プログラムを実行し、印刷有効を示す印刷有効画面を上位装置２００の図示しない表示部に表示される。これにより、利用者は、印刷要求に応じて印刷処理されたことを図示しない表示部を介して確認できる。
【０１０１】
本実施例では、画素密度情報「３０％（＝イエロー）」が画素制限密度情報「１５％（＝イエロー）」よりも大きいことから、印刷可否判定部１６により印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。これにより、利用者は、印刷要求された画像データが高密度であるために印刷処理が中止されたことを確認できる。
【０１０２】
〈実施例２の動作〉
次に、実施例２の画像記録システムの印刷制限動作について説明を行う。
【０１０３】
本動作説明では、画素密度取得部１５が各色毎および各色の総和の画素密度情報をそれぞれ取得して以降の実施例１とは異なる動作について説明を行う。
【０１０４】
図６は、実施例２の画像記録システムの動作フローチャートである。
【０１０５】
本実施例の画像記録装置１００の印刷可否判定部１６は、画素密度取得部１５が各色毎および各色の総和の画素密度情報をそれぞれ取得すると、各色毎および各色の総和の画素制限密度情報と判定制御情報を取得するためのデータ要求信号を管理装置３００に送信する（Ｓ６）。
【０１０６】
管理装置３００の制御部３０は、データ要求信号を受信すると、データ要求信号をデータ取得部３１に転送する。
【０１０７】
データ取得部３１は、データ要求信号を受けると、データベース３００Ａを参照し、各色毎および各色の総和の画素制限密度情報、判定制御情報をそれぞれ取得する。
【０１０８】
制御部３０は、データ取得部３１がデータ取得を完了すると、取得された各色毎および各色の総和の画素制限密度情報、判定制御情報を画像記録装置１００に送信する。
【０１０９】
画像記録装置１００の制御部１０は、各色毎および各色の総和の画素制限密度情報、判定制御情報を受信すると、各情報を図示しないメモリに格納される（Ｓ７）。
【０１１０】
印刷可否判定部１６は、各色毎および各色の総和の画素制限密度情報、判定制御情報がメモリに格納されると、まず、メモリの判定制御情報を参照し、判断制御方式を決定する。本実施例では、各色（＝シアン、マゼンタ、イエロー、ブラック）および各色の総和に対して「１」がそれぞれ設定されていることから、全ての画素密度を判定対象として印刷可否を行う。
【０１１１】
即ち、印刷可否判定部１６は、メモリを参照して、取得された各色の総和の画素密度情報と各色の総和に対する画素制限密度情報とを比較し（Ｓ８）、画素密度が画素制限密度より大きいと、印刷不可と判定する（Ｓ９）。
【０１１２】
印刷制御部１７は、実施例１と同様に、印刷可否判定部１６が印刷不可と判定すると、図示しない印刷部に印刷処理の中止を指示し（Ｓ２０）、報知部１８により印刷不許可信号が上位装置２００に送信され、印刷無効画面が上位装置２００の図示しない表示部に表示される（Ｓ２１）。
【０１１３】
総和の画素密度が画素制限密度より小さいと、引き続き、印刷可否判定部１６は、メモリを参照して、シアンの画素密度情報とシアンに対する画素制限密度情報とを比較し（Ｓ１０）、画素密度が画素制限密度より大きいと、印刷不可と判定する（Ｓ１１）。
【０１１４】
印刷制御部１７は、上記同様に、印刷可否判定部１６が印刷不可と判定すると、図示しない印刷部に印刷処理の中止を指示し（Ｓ２０）、報知部１８により印刷不許可信号が上位装置２００に送信され、印刷無効画面が上位装置２００の図示しない表示部に表示される（Ｓ２１）。
【０１１５】
シアンの画素密度が画素制限密度より小さいと、引き続き、印刷可否判定部１６は、メモリを参照して、マゼンタの画素密度情報とマゼンタに対する画素制限密度情報とを比較し（Ｓ１２）、画素密度が画素制限密度より大きいと、印刷不可と判定する（Ｓ１３）。
【０１１６】
印刷制御部１７は、上記同様に、印刷可否判定部１６が印刷不可と判定すると、図示しない印刷部に印刷処理の中止を指示し（Ｓ２０）、報知部１８により印刷不許可信号が上位装置２００に送信され、印刷無効画面が上位装置２００の図示しない表示部に表示される（Ｓ２１）。
【０１１７】
マゼンタの画素密度が画素制限密度より小さいと、引き続き、印刷可否判定部１６は、メモリを参照して、イエローの画素密度情報とイエローに対する画素制限密度情報とを比較し（Ｓ１４）、画素密度が画素制限密度より大きいと、印刷不可と判定する（Ｓ１５）。
【０１１８】
印刷制御部１７は、上記同様に、印刷可否判定部１６が印刷不可と判定すると、図示しない印刷部に印刷処理の中止を指示し（Ｓ２０）、報知部１８により印刷不許可信号が上位装置２００に送信され、印刷無効画面が上位装置２００の図示しない表示部に表示される（Ｓ２１）。
【０１１９】
イエローの画素密度が画素制限密度より小さいと、引き続き、印刷可否判定部１６は、メモリを参照して、ブラックの画素密度情報とブラックに対する画素制限密度情報とを比較し（Ｓ１６）、画素密度が画素制限密度より大きいと、印刷不可と判定する（Ｓ１７）。
【０１２０】
印刷制御部１７は、上記同様に、印刷可否判定部１６が印刷不可と判定すると、図示しない印刷部に印刷処理の中止を指示し（Ｓ２０）、報知部１８により印刷不許可信号が上位装置２００に送信され、印刷無効画面が上位装置２００の図示しない表示部に表示される（Ｓ２１）。
【０１２１】
ブラックの画素密度が画素制限密度より小さいと、印刷可否判定部１６は、印刷可と判定し（Ｓ１７）、印刷制御部１７は、印刷可否判定部１６が印刷可と判定すると、図示しない印刷部に画像データを転送すると共に、印刷処理を指示する。図示しない印刷部は、画像データを受けると、画像データに基づいて印刷処理を実行する（Ｓ１８）。
【０１２２】
報知部１８は、印刷制御部１７が図示しない印刷部に対して印刷処理を指示すると、印刷有効を示す印刷許可信号を上位装置２００に送信する。
【０１２３】
上位装置２００では、印刷許可信号を受信すると、図示しないメモリの制御プログラムを実行し、印刷有効を示す印刷有効画面を上位装置２００の図示しない表示部に表示される（Ｓ１９）。これにより、利用者は、印刷要求に応じて印刷処理されたことを図示しない表示部を介して確認できる。
【０１２４】
本実施例では、画素密度情報「３０％（＝イエロー）」が画素制限密度情報「１５％（＝イエロー）」よりも大きいことから、印刷可否判定部１６により印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。
【０１２５】
尚、上記説明では、各色および各色の総和のいずれか１つの画素密度が画素制限密度より大きいと、印刷不可と判定するように説明したが、全ての画素密度が画素制限密度より大きい場合のみに印刷不可と判定するようにしてもよい。
【０１２６】
また、上記した実施例では、本発明を現像剤（＝トナー）を使用する電子写真プロセスの画像記録装置に適用して説明を行ったが、これに限られることはなく、インクを使用するインクジェット方式の画像記録装置、インクリボンを使用するワイヤドット方式の画像記録装置にも適用することができる。
【０１２７】
〈実施例２の効果〉
本実施例の画像記録システムでは、高密度印刷の制限基準となる各色および各色の総和の画素密度を示す画素制限密度情報をそれぞれ保持したデータベース３００Ａを管理装置３００によって、一元的に管理させ、上位装置２００から少なくとも記録紙の寸法を示す記録紙寸法データ、画像の解像度を示す画像解像度データ、カラーおよびモノクロのいずれかを示す印刷色指定データからなる印刷属性情報及び印刷データを含む印刷情報を受信すると、印刷情報から印刷属性情報を取得し、取得される印刷属性情報に基づいて、記録紙の最大記録可能画素数を示す用紙画素情報を取得し、印刷対象の画像データに存在する各色および総和の画素数を示す画像画素情報をそれぞれ取得し、取得された用紙画素情報と各色および総和の画像画素情報とに基づいて、各色および総和の画像データの画素密度を示す画素密度情報を取得し、取得された各画素密度情報と管理装置３００を介してデータベース３００Ａから得られる各画素制限密度情報をそれぞれ比較して、いずれかの画素密度が画素制限密度より大きいと、印刷不可と判定し、印刷可能な記録紙の枚数範囲内であっても、印刷処理を中止するようにしたので、消耗品の消費量を抑制することができる。従って、消耗品が早期に消費されるのを防止できる。また、管理装置３００によって画素制限密度情報がデータベース３００Ａにて一元的に管理させていることから、画像記録装置１００毎に、画素制限密度情報の更新を行う必要がなく、画素制限密度情報の更新を容易に行うことができる。
【実施例３】
【０１２８】
〈実施例３の構成〉
図７は、実施例３の画像記録装置を示すブロック構成図である。
【０１２９】
図７に示すように、本実施例の画像記録装置１００は、制御部１０、記憶部１１、印刷情報取得部１２、印刷可否判定部１６、印刷制御部１７および報知部１８を有しており、上位装置２００とネットワークを介して接続されている。
【０１３０】
記憶部１１は、予め対象外アプリケーションデータが格納されているメモリである。この対象外アプリケーションデータは、図８に示すように、高密度印刷の制限対象外のアプリケーション名を示す情報であり、本実施例では、対象外アプリケーションデータとして、ワープロソフト、表計算ソフト、電子メールソフト等のように、高密度の画像データの印刷要求がされないと想定されるアプリケーション名を示す情報が格納されている。
【０１３１】
上位装置２００としては、ワークステーションやＰＣ等が用いられ、利用者から図示しない入力部を介して、印刷指示されると、図示しないメモリのプリンタドライバを実行し、印刷対象となる印刷データが生成されたアプリケーション名を示すアプリケーションデータ、利用者から印刷指示された記録紙の縦寸法を示す縦寸法データ、記録紙の横寸法を示す横寸法データ、画像解像度を示す画像解像度データ、カラーおよびモノクロのいずれかを示す印刷色指定データからなる印刷属性情報を生成されると共に、生成された印刷属性情報及び印刷データを含む印刷情報を画像記録装置１００に送信する。
【０１３２】
本実施例では、生成される画像データが高密度である「画像編集ソフト」を示すアプリケーションデータ、縦寸法データ「１１インチ」、横寸法データ「２インチ」、画像解像度データ「３００ドット／インチ」、カラーおよびモノクロのいずれかを示す印刷色指定データからなる印刷属性情報が生成されることとする。尚、記録紙の大きさを示すデータとしては、縦／横寸法に限らず、例えば、「Ａ４」、「Ａ５」、「Ｂ４」等のような記録紙サイズを示すデータ及び解像度を示す画像解像度データ、カラーおよびモノクロのいずれかを示す印刷色指定データからなる印刷属性情報として生成してもよい。この場合、画像記録装置１００側で、記録紙サイズに対応する縦／横寸法を保持するようにすればよい。
【０１３３】
画像記録装置１００の制御部１０は、いわゆるＣＰＵとして画像記録装置１００を統括的に制御する制御部であり、上位装置２００から印刷情報を受信すると、印刷情報を印刷情報取得部１２に転送する。
【０１３４】
印刷情報取得部１２は、印刷情報から印刷属性情報を取得する取得部であり、印刷情報を受けると、該印刷情報を解析し、印刷データと印刷属性情報を分離して、アプリケーションデータ、縦寸法データ、横寸法データ、画像解像度データ、印刷色指定データからなる印刷属性情報を取得する。本実施例では、アプリケーションデータ「画像編集ソフト」、縦寸法データ「１１インチ」、横寸法データ「２インチ」、画像解像度データ「３００ドット／インチ」、カラーおよびモノクロのいずれかを示す印刷色指定データからなる印刷属性情報が取得される。
【０１３５】
制御部１０は、印刷情報取得部１２が印刷属性情報を取得すると、印刷属性情報に基づいて印刷データから画像データを生成し、図示しないメモリに保持すると共に、印刷属性情報を印刷可否判定部１６に転送する。
【０１３６】
印刷可否判定部１６は、印刷制限の要否を判定する判定部であり、印刷属性情報を受けると、印刷属性情報のアプリケーションデータに基づいて、記憶部１１を検索し、アプリケーションデータに一致するアプリケーション名を示す対象外アプリケーションデータが保持されていると、印刷可と判定する。本実施例では、アプリケーション名により印刷可否を判定するように説明を行っているが、これに限られることはなく、例えば、アプリケーションで作成されたファイル名に付加されている識別子（＝ファイル名．＊＊＊）により印刷可否を判定するような構成としてもよい。
【０１３７】
印刷制御部１７は、印刷可否の判定に応じて印刷制御を行う制御部であり、印刷可否判定部１６が印刷可と判定すると、図示しない印刷部に画像データを転送すると共に、印刷処理を指示する。図示しない印刷部は、画像データを受けると、画像データに基づいた印刷処理を実行する。
【０１３８】
報知部１８は、上位装置２００に対して印刷結果を報知する報知部であり、印刷制御部１７が図示しない印刷部に対して印刷処理を指示すると、印刷有効を示す印刷許可信号を上位装置２００に送信する。
【０１３９】
上位装置２００では、印刷許可信号を受信すると、図示しないメモリの制御プログラムを実行し、印刷有効を示す印刷有効画面を図示しない表示部に表示させる。これにより、利用者は、印刷要求に応じて印刷処理されたことを図示しない表示部を介して確認できる。
【０１４０】
一方、印刷可否判定部１６は、アプリケーションデータに一致するアプリケーション名を示す対象外アプリケーションデータが保持されていないと、印刷不可と判定する。
【０１４１】
本実施例では、印刷可否判定部１６が、アプリケーションデータ「画像編集ソフト」に基づいて、記憶部１１の検索を行い、アプリケーションデータ「画像編集ソフト」に一致する対象外アプリケーションデータが保持されていないことから、印刷不可と判定される。
【０１４２】
印刷制御部１７は、印刷可否判定部１６が印刷不可と判定すると、図示しない印刷部に印刷処理の中止を指示する。
【０１４３】
報知部１８は、印刷制御部１７が図示しない印刷部に対して印刷処理の中止を指示すると、印刷無効を示す印刷不許可信号を上位装置２００に送信する。
【０１４４】
上位装置２００では、印刷不許可信号を受信すると、図示しないメモリの制御プログラムを実行し、印刷無効を示す印刷無効画面を図示しない表示部に表示させる。これにより、利用者は、印刷要求された画像データが高密度印刷を行うアプリケーションで作成されていると判断し、印刷処理が中止されたことを図示しない表示部を介して確認できる。
【０１４５】
〈実施例３の動作〉
次に、実施例３の画像記録装置の印刷制限動作について説明を行う。
【０１４６】
図９は、実施例３の画像記録装置の動作フローチャートである。
【０１４７】
上位装置２００は、利用者から図示しない入力部を介して、印刷指示されると、図示しないメモリのプリンタドライバを実行し、印刷対象となる印刷データが生成されたアプリケーション名を示すアプリケーションデータ、利用者から印刷指示された記録紙の縦寸法を示す縦寸法データ、記録紙の横寸法を示す横寸法データ、画像解像度を示す画像解像度データ、カラーおよびモノクロのいずれかを示す印刷色指定データからなる印刷属性情報を生成させると共に、生成された印刷属性情報及び印刷データを含む印刷情報として画像記録装置１００に送信する。
【０１４８】
本実施例では、生成される画像データが高密度である「画像編集ソフト」を示すアプリケーションデータ、縦寸法データ「１１インチ」、横寸法データ「２インチ」、画像解像度データ「３００ドット／インチ」、カラーおよびモノクロのいずれかを示す印刷色指定データからなる印刷属性情報が生成されることとする。尚、記録紙の大きさを示すデータとしては、縦／横寸法に限らず、例えば、「Ａ４」、「Ａ５」、「Ｂ４」等のような記録紙サイズを示すデータ及び解像度を示す画像解像度データ、印刷色指定データからなる印刷属性情報として生成してもよい。この場合、画像記録装置１００側で、記録紙サイズに対応する縦／横寸法を保持するようにすればよい。
【０１４９】
画像記録装置１００の制御部１０は、上位装置２００から印刷情報を受信すると（Ｓ１）、印刷情報を印刷情報取得部１２に転送する。
【０１５０】
印刷情報取得部１２は、印刷情報を受けると、該印刷情報を解析し、印刷データと印刷属性情報を分離して、アプリケーションデータ、縦寸法データ、横寸法データ、画像解像度データ、印刷色指定データからなる印刷属性情報を取得する。本実施例では、アプリケーションデータ「画像編集ソフト」、縦寸法データ「１１インチ」、横寸法データ「２インチ」、画像解像度データ「３００ドット／インチ」、カラーおよびモノクロのいずれかを示す印刷色指定データからなる印刷属性情報が取得される（Ｓ２）。
【０１５１】
制御部１０は、印刷情報取得部１２が印刷属性情報を取得すると、印刷属性情報に基づいて、印刷データから画像データを生成し、生成された画像データを図示しないメモリに保持すると共に、印刷属性情報を印刷可否判定部１６に転送する。
【０１５２】
印刷可否判定部１６は、印刷属性情報を受けると、印刷属性情報のアプリケーションデータに基づいて、記憶部１１を検索し（Ｓ３）、アプリケーションデータに一致するアプリケーション名を示す対象外アプリケーションデータが保持されていると、印刷可と判定する（Ｓ４）。
【０１５３】
印刷制御部１７は、印刷可否判定部１６が印刷可と判定すると、図示しない印刷部に画像データを転送すると共に、印刷処理を指示する（Ｓ５）。図示しない印刷部は、画像データを受けると、画像データに基づいて印刷処理を実行する。
【０１５４】
報知部１８は、印刷制御部１７が図示しない印刷部に対して印刷処理を指示すると、印刷有効を示す印刷許可信号を上位装置２００に送信する。
【０１５５】
上位装置２００では、印刷許可信号を受信すると、図示しないメモリの制御プログラムを実行し、印刷有効を示す印刷有効画面を図示しない表示部に表示させる（Ｓ６）。これにより、利用者は、印刷要求に応じて印刷処理されたことを図示しない表示部を介して確認できる。
【０１５６】
一方、印刷可否判定部１６は、アプリケーションデータに一致するアプリケーション名を示す対象外アプリケーションデータが保持されていないと、印刷不可と判定する（Ｓ４）。
【０１５７】
印刷制御部１７は、印刷可否判定部１６が印刷不可と判定すると、図示しない印刷部に印刷処理の中止を指示する（Ｓ７）。
【０１５８】
報知部１８は、印刷制御部１７が図示しない印刷部に対して印刷処理の中止を指示すると、印刷無効を示す印刷不許可信号を上位装置２００に送信する。
【０１５９】
上位装置２００では、印刷不許可信号を受信すると、図示しないメモリの制御プログラムを実行し、印刷無効を示す印刷無効画面を図示しない表示部に表示させる（Ｓ８）。これにより、利用者は、印刷要求された画像データが高密度印刷を行うアプリケーションで作成されていると判断し、印刷処理が中止されたことを図示しない表示部を介して確認できる。
【０１６０】
本実施例では、印刷可否判定部１６により、アプリケーションデータ「画像編集ソフト」に基づいて、記憶部１１が検索され、アプリケーションデータ「画像編集ソフト」に一致する対象外アプリケーションデータが保持されていないことから、印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。
【０１６１】
尚、本実施例では、アプリケーション名により印刷可否を判定するように説明を行っているが、これに限られることはなく、例えば、アプリケーションで作成されたファイル名に付加されている識別子（＝ファイル名．＊＊＊）により印刷可否を判定するような構成としてもよい。
【０１６２】
〈実施例３の効果〉
本実施例の画像記録装置１００では、高密度印刷の制限対象外となるアプリケーション名を示す対象外アプリケーションデータが格納された記憶部を設け、上位装置２００から印刷要求元のアプリケーション名を示すアプリケーションデータ、記録紙の寸法を示す記録紙寸法データ、画像の解像度を示す画像解像度データ、カラーおよびモノクロのいずれかを示す印刷色指定データからなる印刷属性情報及び印刷データを含む印刷情報を受信すると、印刷情報から印刷属性情報を取得し、取得された印刷属性情報のアプリケーションデータに基づいて、記憶部を検索し、アプリケーションデータに一致する対象外アプリケーションデータが格納されていないと、印刷不可と判定し、印刷処理を中止させるようにしたので、消耗品の消費量を抑制することができる。従って、消耗品が早期に消費されるのを防止できる。
【実施例４】
【０１６３】
〈実施例４の構成〉
図１０は、実施例４の画像記録システムを示すブロック構成図である。
【０１６４】
図１０に示すように、本実施例の画像記録システムは、画像記録装置１００、上位装置２００および管理装置３００から構成されており、画像記録装置１００には、上位装置２００および管理装置３００がネットワークを介して接続されている。また、管理装置３００には、データベース３００Ａが接続されている。
【０１６５】
実施例３では、画素制限密度情報および判定制御情報が記憶部１１に格納されている構成であったが、本実施例においては、対象外アプリケーションデータがデータベース３００Ａに保持され、管理装置３００がデータベース３００Ａの各情報を一元管理する構成である。
【０１６６】
データベース３００Ａは、対象外アプリケーションデータが格納されているデータベースである。この対象外アプリケーションデータは、図８に示すように、高密度印刷の制限対象外のアプリケーション名を示す情報であり、本実施例では、対象外アプリケーションデータとして、ワープロソフト、表計算ソフト、電子メールソフト等のように、高密度の画像データの印刷要求がされないと想定されるアプリケーション名を示す情報が格納されている。
【０１６７】
本実施例の画像記録装置１００の印刷可否判定部１６は、印刷情報取得部１２が印刷属性情報を取得すると、高密度印刷の制限対象外のアプリケーション名を示す対象外アプリケーションデータを取得するためのデータ要求信号を管理装置３００に送信する。
【０１６８】
管理装置３００の制御部３０は、いわゆるＣＰＵとして管理装置３００の統括制御を行う制御部であり、データ要求信号を受信すると、データ要求信号をデータ取得部３１に転送する。
【０１６９】
データ取得部３１は、データベース３００Ａからデータ取得を行う取得部であり、データ要求信号を受けると、データベース３００Ａを参照し、全ての対象外アプリケーションデータを取得する。
【０１７０】
制御部３０は、データ取得部３１がデータ取得を完了すると、取得された全ての対象外アプリケーションデータを画像記録装置１００に送信する。
【０１７１】
画像記録装置１００の制御部１０は、対象外アプリケーションデータを受信すると、全てのデータを図示しないメモリに格納する。
【０１７２】
印刷可否判定部１６は、全ての対象外アプリケーションデータがメモリに格納されると、印刷属性情報のアプリケーションデータに基づいて、メモリを検索し、アプリケーションデータに一致するアプリケーション名を示す対象外アプリケーションデータが保持されていると、印刷可と判定する。
【０１７３】
印刷制御部１７は、印刷可否判定部１６が印刷可と判定すると、図示しない印刷部に画像データを転送すると共に、印刷処理を指示する。図示しない印刷部は、画像データを受けると、画像データに基づいて印刷処理を実行する。
【０１７４】
報知部１８は、印刷制御部１７が図示しない印刷部に対して印刷処理を指示すると、印刷有効を示す印刷許可信号を上位装置２００に送信する。
【０１７５】
上位装置２００では、印刷許可信号を受信すると、図示しないメモリの制御プログラムを実行し、印刷有効を示す印刷有効画面を図示しない表示部に表示させる。これにより、利用者は、印刷要求に応じて印刷処理されたことを図示しない表示部を介して確認できる。
【０１７６】
一方、印刷可否判定部１６は、アプリケーションデータに一致するアプリケーション名を示す対象外アプリケーションデータが保持されていないと、印刷不可と判定する。
【０１７７】
印刷制御部１７は、印刷可否判定部１６が印刷不可と判定すると、図示しない印刷部に印刷処理の中止を指示する。
【０１７８】
報知部１８は、印刷制御部１７が図示しない印刷部に対して印刷処理の中止を指示すると、印刷無効を示す印刷不許可信号を上位装置２００に送信する。
【０１７９】
上位装置２００では、印刷不許可信号を受信すると、図示しないメモリの制御プログラムを実行し、印刷無効を示す印刷無効画面を図示しない表示部に表示させる。これにより、利用者は、印刷要求された画像データが高密度印刷を行うアプリケーションで作成されていると判断し、印刷処理が中止されたことを図示しない表示部を介して確認できる。
【０１８０】
本実施例では、データベース３００Ａから対象外アプリケーションデータ「ワープロソフト」「表計算ソフト」「電子メールソフト」（図８参照）が取得され、印刷属性情報に含まれるアプリケーションデータが「画像編集ソフト」を示していることから、印刷可否判定部１６によるアプリケーションデータ「画像編集ソフト」に基づいたメモリの検索で、アプリケーションデータ「画像編集ソフト」に一致する対象外アプリケーションデータが保持されていないことを検知し、印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。
【０１８１】
尚、本実施例では、アプリケーション名により印刷可否を判定するように説明を行っているが、これに限られることはなく、例えば、アプリケーションで作成されたファイル名に付加されている識別子（＝ファイル名．＊＊＊）により印刷可否を判定するような構成としてもよい。
【０１８２】
〈実施例４の動作〉
次に、実施例４の画像記録システムの印刷制限動作について説明を行う。
【０１８３】
本動作説明では、印刷情報取得部１２が印刷属性情報を取得して以降の実施例３とは異なる動作について説明を行う。
【０１８４】
図１１は、実施例４の画像記録システムの動作フローチャートである。
【０１８５】
本実施例の画像記録装置１００の印刷可否判定部１６は、印刷情報取得部１２が印刷属性情報を取得すると、高密度印刷の制限対象外のアプリケーション名を示す対象外アプリケーションデータを取得するためのデータ要求信号を管理装置３００に送信する（Ｓ３）。
【０１８６】
管理装置３００の制御部３０は、データ要求信号を受信すると、データ要求信号をデータ取得部３１に転送する。
【０１８７】
データ取得部３１は、データ要求信号を受けると、データベース３００Ａを参照し、全ての対象外アプリケーションデータを取得する。
【０１８８】
制御部３０は、データ取得部３１がデータ取得を完了すると、取得された全ての対象外アプリケーションデータを画像記録装置１００に送信する。
【０１８９】
画像記録装置１００の制御部１０は、対象外アプリケーションデータを受信すると、全てのデータを図示しないメモリに格納する（Ｓ４）。
【０１９０】
印刷可否判定部１６は、全ての対象外アプリケーションデータがメモリに格納されると、印刷属性情報のアプリケーションデータに基づいて、メモリを検索し（Ｓ５）、アプリケーションデータに一致するアプリケーション名を示す対象外アプリケーションデータが保持されていると、印刷可と判定する（Ｓ６）。
【０１９１】
印刷制御部１７は、印刷可否判定部１６が印刷可と判定すると、図示しない印刷部に画像データを転送すると共に、印刷処理を指示する。図示しない印刷部は、画像データを受けると、画像データに基づいて印刷処理を実行する（Ｓ７）。
【０１９２】
報知部１８は、印刷制御部１７が図示しない印刷部に対して印刷処理を指示すると、印刷有効を示す印刷許可信号を上位装置２００に送信する。
【０１９３】
上位装置２００では、印刷許可信号を受信すると、図示しないメモリの制御プログラムを実行し、印刷有効を示す印刷有効画面を図示しない表示部に表示させる（Ｓ８）。これにより、利用者は、印刷要求に応じて印刷処理されたことを図示しない表示部を介して確認できる。
【０１９４】
一方、印刷可否判定部１６は、アプリケーションデータに一致するアプリケーション名を示す対象外アプリケーションデータが保持されていないと、印刷不可と判定する（Ｓ６）。
【０１９５】
印刷制御部１７は、印刷可否判定部１６が印刷不可と判定すると、図示しない印刷部に印刷処理の中止を指示する（Ｓ９）。
【０１９６】
報知部１８は、印刷制御部１７が図示しない印刷部に対して印刷処理の中止を指示すると、印刷無効を示す印刷不許可信号を上位装置２００に送信する。
【０１９７】
上位装置２００では、印刷不許可信号を受信すると、図示しないメモリの制御プログラムを実行し、印刷無効を示す印刷無効画面を図示しない表示部に表示させる（Ｓ１０）。これにより、利用者は、印刷要求された画像データが高密度印刷を行うアプリケーションで作成されていると判断し、印刷処理が中止されたことを図示しない表示部を介して確認できる。
【０１９８】
本実施例では、データベース３００Ａから対象外アプリケーションデータ「ワープロソフト」「表計算ソフト」「電子メールソフト」（図８参照）が取得され、印刷属性情報に含まれるアプリケーションデータが「画像編集ソフト」を示していることから、印刷可否判定部１６によるアプリケーションデータ「画像編集ソフト」に基づいたメモリの検索で、アプリケーションデータ「画像編集ソフト」に一致する対象外アプリケーションデータが保持されていないことを検知し、印刷不可と判定され、印刷制御部１７が図示しない印刷部に印刷処理の中止を指示し、報知部１８により印刷不許可信号が上位装置２００に送信され、印刷無効画面が上位装置２００の図示しない表示部に表示される。
【０１９９】
尚、本実施例では、アプリケーション名により印刷可否を判定するように説明を行っているが、これに限られることはなく、例えば、アプリケーションで作成されたファイル名に付加されている識別子（＝ファイル名．＊＊＊）により印刷可否を判定するような構成としてもよい。
【０２００】
〈実施例４の効果〉
本実施例の画像記録システムでは、高密度印刷の制限対象外のアプリケーション名を示す対象外アプリケーションデータが格納されたデータベース３００Ａを管理装置３００に一元的に管理させ、上位装置２００から印刷要求元のアプリケーション名を示すアプリケーションデータ、記録紙の寸法を示す記録紙寸法データ、画像の解像度を示す画像解像度データ、カラーおよびモノクロのいずれかを示す印刷色指定データからなる印刷属性情報および印刷データを含む印刷情報を受信すると、印刷情報から印刷属性情報を取得し、管理装置３００を介してデータベース３００Ａから得られる対象外アプリケーションデータをメモリに保持し、取得された印刷属性情報のアプリケーションデータに基づいて、メモリを検索し、アプリケーションデータに一致する対象外アプリケーションデータが格納されていないと、印刷不可と判定し、画像データの印刷処理を中止させるようにしたので、消耗品の消費量を抑制することができる。従って、消耗品が早期に消費されるのを防止できる。また、対象外アプリケーションデータの格納されたデータベース３００Ａが管理装置３００に一元的に管理させていることから、画像記録装置１００毎に、画素制限密度情報の更新を行う必要がなく、容易に対象外アプリケーションデータの更新を行うことができる。
【図面の簡単な説明】
【０２０１】
【図１】本発明の画像記録装置を示すブロック構成図
【図２】画素制限密度情報を示す例示図
【図３】判定制御情報を示す例示図
【図４】実施例１の画像記録装置の動作フローチャート
【図５】実施例２の画像記録システムを示すブロック構成図
【図６】実施例２の画像記録システムの動作フローチャート
【図７】実施例３の画像記録装置を示すブロック構成図
【図８】対象外アプリケーションデータを示す例示図
【図９】実施例３の画像記録装置の動作フローチャート
【図１０】実施例４の画像記録システムを示すブロック構成図
【図１１】実施例４の画像記録システムの動作フローチャート
【符号の説明】
【０２０２】
１００  画像記録装置
１０  制御部
１１  記憶部
１２  印刷情報取得部
１３  用紙画素取得部
１４  画像画素取得部
１５  画素密度取得部
１６  印刷可否判定部
１７  印刷制御部
１８  報知部
２００  上位装置
３００  管理装置
３０  制御部
３１  データ取得部
３００Ａ  データベース
【図１】
2007090822.tif 000003
【図２】
2007090822.tif 000004
【図３】
2007090822.tif 000005
【図４】
2007090822.tif 000006
【図５】
2007090822.tif 000007
【図６】
2007090822.tif 000008
【図７】
2007090822.tif 000009
【図８】
2007090822.tif 000010
【図９】
2007090822.tif 000011
【図１０】
2007090822.tif 000012
【図１１】
2007090822.tif 000013